(57)【要約】【課題】非接触媒体の不正利用を抑制することができる自動改札機および自動改札機システムを提供することである。【解決手段】実施形態の自動改札機は、読取部と、判定部と、付与部とを持つ。読取部は、利用者によって提示された媒体に表示された表示オブジュクトから入場用情報を読み取る。判定部は、前記読取部により読み取られた入場用情報に基づいて、前記利用者が入場可能か否かを判定する。付与部は、前記判定部により前記利用者が入場可能であると判定された場合に、前記媒体を提示した利用者に対して出場に必要な出場用情報を付与する。【選択図】図５
2016130879.tif 000002
【特許請求の範囲】
【請求項１】
利用者によって提示された媒体に表示された表示オブジュクトから入場用情報を読み取る読取部と、
前記読取部により読み取られた入場用情報に基づいて、前記利用者が入場可能か否かを判定する判定部と、
前記判定部により前記利用者が入場可能であると判定された場合に、前記媒体を提示した利用者に対して出場に必要な出場用情報を付与する付与部と、
を備える自動改札機。
【請求項２】
前記付与部は、前記出場用情報が印刷された紙媒体を発行することで、前記媒体を提示した利用者に対して出場に必要な出場用情報を付与する、
請求項１記載の自動改札機。
【請求項３】
前記付与部は、前記出場用情報を表示するための情報を、前記利用者によって提示された電子媒体に送信することで、前記電子媒体を提示した利用者に対して出場に必要な出場用情報を付与する、
請求項１または請求項２記載の自動改札機。
【請求項４】
前記付与部は、前記利用者によって提示された媒体が紙媒体であるか電子媒体であるかを判定し、前記利用者によって提示された媒体が紙媒体である場合に、前記出場用情報を印刷した紙媒体を発行し、前記利用者によって提示された媒体が電子媒体である場合に、前記出場用情報を表示するための情報を、前記利用者によって提示された電子媒体に送信する。
請求項１から３のうちいずれか１項記載の自動改札機。
【請求項５】
請求項１から４のうちいずれか１項記載の自動改札機と、
前記自動改札機と送受信が可能な管理サーバと、
を備え、
前記管理サーバは、前記読取部により読み取られた媒体の識別情報に基づいて前記識別情報に対応付けて記憶された情報を記憶部から抽出し、
前記判定部は、前記抽出された情報に基づいて、前記媒体を提示した利用者が入場可能か否かを判定する、
自動改札機システム。
【請求項６】
請求項１から４のうちいずれか１項記載の自動改札機と、
前記自動改札機と送受信が可能な管理サーバと、
を備え、
前記管理サーバは、前記読取部により読み取られた媒体の識別情報と、記憶部に記憶され前記識別情報に対応付けて記憶された情報とに基づいて、前記媒体を提示した利用者が入場可能であるか否かを判定し、
前記付与部は、前記管理サーバから入場可能である旨の判定結果を取得した場合、前記出場用情報を付与する、
自動改札機システム。
【請求項７】
利用者によって提示された電子媒体に表示された表示オブジュクトから入場用情報を読み取る読取部、および、前記読取部により読み取られた入場用情報に基づいて、前記利用者が入場可能か否かを判定する判定部、を備える自動改札機と、
前記判定部により前記利用者が入場可能であると判定された場合に、前記電子媒体に対して出場用情報を送信する管理サーバと、
を備える自動改札機システム。
【発明の詳細な説明】
【技術分野】
【０００１】
本発明の実施形態は、自動改札機および自動改札機システムに関する。
【背景技術】
【０００２】
非接触媒体から情報を読み取って、入場許可の判定を実行し、座席情報などが印字された案内媒体を放出することで、案内媒体の渡し違いを防止するゲート装置が知られている。しかしながら、従来の技術では、非接触媒体が不正利用される場合があった。
【先行技術文献】
【特許文献】
【０００３】
【特許文献１】特開２００７−２４９３３７号公報
【発明の概要】
【発明が解決しようとする課題】
【０００４】
本発明が解決しようとする課題は、非接触媒体の不正利用を抑制することができる自動改札機および自動改札機システムを提供することである。
【課題を解決するための手段】
【０００５】
実施形態の自動改札機は、読取部と、判定部と、付与部とを持つ。読取部は、利用者によって提示された媒体に表示された表示オブジュクトから入場用情報を読み取る。判定部は、前記読取部により読み取られた入場用情報に基づいて、前記利用者が入場可能か否かを判定する。付与部は、前記判定部により前記利用者が入場可能であると判定された場合に、前記媒体を提示した利用者に対して出場に必要な出場用情報を付与する。
【図面の簡単な説明】
【０００６】
【図１】自動改札機システム１の構成を示す図。
【図２】管理サーバ１００の機能構成について説明するための図。
【図３】自動改札機３０の外観図。
【図４】図３のＸ方向から見た場合における自動改札機３０の内部構成を簡略に示す図。
【図５】自動改札機３０の機能構成を示す概略図。
【図６】自動改札機３０および管理サーバ１００により実行される処理の流れを示すフローチャート。
【図７】利用者Ｕが自動改札機３０を利用する場面を模式的に示す図。
【図８】ＩＣ専用機として構成される自動改札機３０Ａの内部構成を簡易に示す図。
【図９】第２の実施形態に係る自動改札機３０および管理サーバ１００により実行される処理の流れを示すフローチャート。
【図１０】第３の実施形態に係る自動改札機３０および管理サーバ１００により実行される処理の流れを示すフローチャート。
【図１１】第４の実施形態に係る自動改札機３０および管理サーバ１００により実行される処理の流れを示すフローチャート。
【発明を実施するための形態】
【０００７】
以下、実施形態の自動改札機を含む自動改札機システムを、図面を参照して説明する。
【０００８】
（第１の実施形態）
図１は、自動改札機システム１の構成を示す図である。自動改札機システム１は、例えばＡ駅システム１０Ａと、Ｂ駅システム１０Ｂと、管理サーバ１００とを備える。Ａ駅システム１０Ａと、Ｂ駅システム１０Ｂと、管理サーバ１００との間では、ネットワークＮＷを介した通信が行われる。ネットワークＮＷは、例えばＷＡＮ（Wide  Area  Network）や、公衆回線、ＶＰＮ（Virtual  Private  Network）、ＬＡＮ（Local  Area  Network）など含む。
【０００９】
Ａ駅システム１０Ａは、例えば駅務装置２０Ａと、駅端末機２２Ａ、自動改札機３０Ａ−１〜３０Ａ−ｎとを備える。また、Ｂ駅システム１０Ｂも同様に、駅務装置２０Ｂと、駅端末機２２Ｂ、自動改札機３０Ｂ−１〜３０Ｂ−ｎとを備える。本実施形態では、一例としてＡ駅システム１０ＡとＢ駅システム１０Ｂとについて示しているが、Ａ駅システム１０ＡおよびＢ駅システム１０Ｂを備える駅以外の駅においても同様の駅システムが構築されてよい。以下、Ａ駅システム１０ＡとＢ駅システム１０Ｂとを区別しない場合は、単に駅システム１０と表記する。また、駅システム１０が備える機能構成についても同様に、駅を区別する符号「Ａ」、「Ｂ」を省略して説明する。
【００１０】
駅務装置２０は、駅端末機２２および複数の自動改札機３０を制御する。また、駅務装置２０は、ネットワークＮＷを介して管理サーバ１００から取得した情報を、専用線を介して駅端末機２２および自動改札機３０へ送信したり、駅端末機２２および自動改札機３０から専用線を介して取得した情報を、ネットワークＮＷを介して管理サーバ１００へ送信したりする。駅端末機２２は、例えば駅構外に設置され、駅の利用者が切符を購入する場合などに利用される。自動改札機３０の機能構成および処理の詳細については後述する。
【００１１】
図２は、管理サーバ１００の機能構成について説明するための図である。管理サーバ１００は、例えば、制御部１１０と、サーバ記憶部１２０と、通信部１３０とを備える。制御部１１０は、例えば、ＣＰＵ（Central  Processing  Unit）などのプロセッサである。サーバ記憶部１２０は、例えばＲＡＭ（Random  Access  Memory）やＨＤＤ（Hard  Disk  Drive）、フラッシュメモリなどの記憶装置である。通信部１３０は、ネットワークＮＷに接続するためのネットワークカード等を含む。
【００１２】
制御部１１０は、通信部１３０が駅システム１０から取得した情報を記憶部１２０に記憶させる。制御部１１０は、駅システム１０からの照会情報に応じて、サーバ記憶部１２０を検索した結果または作成した情報を、駅システム１０に返信する。サーバ記憶部１２０には、駅務装置２０から送信された情報や、ネットワークＮＷに接続された他の端末装置から取得した情報および他の端末装置から送信された情報などが記憶される。例えば利用者が他の端末装置を用いて、送信した情報などである。
【００１３】
図３は、自動改札機３０の外観図である。自動改札機３０は、磁気券投入口３２と、排出口３４と、情報読取部４０と、表示部５０と、扉部５４、５６とを備える。磁気券投入口３２に投入された磁気券は、自動改札機３０の内部の搬送機構（図４を用いて説明）を搬送されながら各種処理を受け、必要に応じて排出口３４から排出される。情報読取部４０は、媒体に記憶または表示された情報を読み取る。表示部５０は、例えば媒体に記憶または表示された情報を処理した結果として得られる情報（チャージ残高等）を表示する。扉部５４は、駅構内側から駅構外側に通過しようとする利用者の通行を、許可または禁止する。扉部５６は、駅構外側から駅構内側に通過しようとする利用者の通行を、許可または禁止する。
【００１４】
図４は、図３のＸ方向から見た場合における自動改札機３０の内部構成を簡略に示す図である。磁気券投入口３２側から排出部３４へ向かって、例えば、分離部６０、整列部６１、磁気券処理部６２、反転部６３、保留部６４、パンチ部６５、印刷部６６、まとめ放出部６７が配置されている。また、自動改札機３０の下部には、集札部６８および発行部７０が配置されている。磁気券投入口３２に磁気券が投入されると、磁気券は、分離部６０、整列部６１、磁気券処理部６２、反転部６３、保留部６４、パンチ部６５、印刷部６６、まとめ放出部６７の順で搬送されて排出口３４に排出される。
【００１５】
分離部６０は、複数枚重ねて磁気券投入口３２に投入された磁気券を、搬送方向に沿ってずらして１枚ずつ分離する。整列部６１は、分離された磁気券を磁気券処理部６２が処理できる姿勢に整列させる。
【００１６】
磁気券処理部６２は、整列された磁気券に記憶された情報を読み取り、当該磁気券に記憶された情報が駅構内への入場許可条件を満たすか否かを判定する。入場条件を満たす場合、当該磁気券に入場情報を記憶する。なお、駅構内から駅構外へ出場する出場処理の場合、磁気券処理部６２は、磁気券に記憶された情報を読み取り、自動改札機３０が設置された駅を出場することができる条件を読み取った情報が満たすか否かを判定する。読み取った情報が出場条件を満たす場合には、当該磁気券は各部を経由して集札部６８に搬送されて集積される。
【００１７】
反転部６３は、投入された磁気券が、表裏に関して、印刷可能な所望の方向を向いているか否かを検出し、所望の方向を向いていない場合は磁気券を１枚ずつ反転させて、磁気券を所望の方向に向ける。保留部６４は、複数枚重ねて投入口に投入された磁気券のうち、反転部６３による処理が不必要または磁気券処理部６２により処理がされた磁気券を一時的に待機させる。保留部６４は、複数枚の磁気券をまとめてパンチ部６５へ搬送する。パンチ部６５は、必要に応じて磁気券を穿孔する。印刷部６６は、必要に応じて磁気券の所定位置に日付や、入場駅などの情報を印刷する。まとめ放出部６７は、複数枚まとめて投入された磁気券をまとめて排出口３４に搬送する。集札部６８には、例えば出場処理において、処理された磁気券が搬送される。
【００１８】
発行部７０は、ロール紙７１と、裁断部７２とを備える。ロール紙７１は、利用者が駅構内から出場する際に必要な出場用情報を印刷するための紙媒体である。裁断部７２は、搬送されたロール紙を設定された寸法に裁断し、発行経由部７３または各部を介して裁断したロール紙７１を印刷部６６へ搬送させる。搬送されたロール紙７１は、印刷部６６で必要な情報が印刷され排出口３４へ搬送される。
【００１９】
図５は、自動改札機３０の機能構成を示す概略図である。自動改札機３０は、例えば、情報読取部４０と、デコード部８２と、エンコード部８４と、ＳＦ（Stored  Fare  system）処理部８６と、コード券処理部８８と、扉制御部９０と、表示制御部９２と、通信部９４と、記憶部（不図示）を備える。
【００２０】
デコード部８２と、エンコード部８４と、ＳＦ（Stored  Fare  system）処理部８６と、コード券処理部８８とは、例えば、自動改札機３０が備えるＣＰＵ等のプロセッサがプログラムメモリに格納されたプログラムを実行することで機能するソフトウェア機能部である。また、これらの各機能部のうち一部または全部は、ＬＳＩ（Large  Scale  Integration）やＡＳＩＣ（Application  Specific  Integrated  Circuit）等のハードウェア機能部であってもよい。
【００２１】
記憶部は、ファームウェアやアプリケーションプログラム等、自動改札機３０が備えるＣＰＵが実行するための各種プログラムやＣＰＵが実行した処理の結果などの他、各駅間の運賃が記憶された運賃テーブル等を記憶する。
【００２２】
情報読取部４０は、例えば、ＩＣ（Integrated  Circuit）リーダライタ４２と、光学読取部４４と、ライト４６とを備える。ＩＣリーダライタ４２は、電磁誘導を利用して利用者が提示した媒体に内蔵されたＩＣチップに電力を供給し、ＩＣチップを起動させる。ＩＣリーダライタ４２は、ＩＣチップを起動させた状態でＩＣチップとの間で無線通信を行い、所定の方式でエンコードされＩＣチップに記憶された情報を読み込んだり、ＳＦ処理部８６によって処理されエンコードされた処理結果を媒体に書き込んだりする。光学読取部４４は、ＣＣＤ（Charge  Coupled  Device）やＣＭＯＳ（Complementary  Metal  Oxide  Semiconductor）などの固体撮像素子を備えたカメラと、画像解析によってデコード処理を行い、エンコードされた情報の内容を読み取る画像解析装置とを備える。また、光学読取部４４は、バーコードリーダのように受光素子と増幅器、情報解読部（デコード部）などを備えるものであってもよい。なお、画像解析の機能は、後述するコード券処理部８８が備えてもよい。
【００２３】
光学読取部４４は、利用者によって情報読取部４０の上方に提示された紙媒体に表示された表示オブジェクトを撮像した画像を解析した情報を、コード券処理部８８へ出力する。ここで、「表示オブジェクト」とは、例えば、情報がエンコードされた一次元または二次元のバーコードである。また、「表示オブジェクト」は、これに代えて、機械的に情報を読み取り可能な任意のものであってよい。ライト４６は、光学読取部４４が紙媒体を撮像する際に、紙媒体に向けて光を照射する。
【００２４】
デコード部８２は、ＩＣリーダライタ４２が媒体から読み取ったエンコード情報をデコードし、ＳＦ処理部８６へ出力する。エンコード部８４は、ＳＦ処理部８６により指示された情報をエンコードし、エンコード情報をＩＣリーダライタ４２へ出力する。
【００２５】
ＳＦ処理部８６は、利用者より提示された媒体の中のＩＣチップに記憶された情報をＩＣリーダライタ４２およびデコード部８２を介して取得する。媒体の中のＩＣチップに記憶された情報とは、媒体の識別情報や、入場駅や出場駅の情報を含む入出場情報、利用可能な金額の情報（チャージ残高情報）、利用可能な区間情報（定期券情報）などである。
【００２６】
ＳＦ処理部８６は、利用者より提示された媒体の中のＩＣチップに記憶された情報に基づいて、駅構内への入場（または出場）が可能であるか否かを判定する。ＳＦ処理部８６は、判定結果に基づいて、判定結果に基づく書込み情報、扉制御信号、表示制御信号を、それぞれエンコード部８４、扉制御部９０、表示制御部９２に出力する。ここで判定結果に基づく書込み情報とは、例えば媒体の中のＩＣチップに記憶された情報を書き換えるための情報（入場駅、運賃収受後のチャージ残高情報など）である。表示制御信号とは、表示部５０に表示させるための情報を制御するための信号である。扉制御信号とは、扉部５４、５６を制御するための信号である。ＳＦ処理部８６は、入場（または出場）を許可する場合には扉部５６（５４）を開放状態として、利用者の駅構内への入場（または出場）を許可する扉制御信号を出力する。一方、ＳＦ処理部８６は、入場（または出場）を許可しない場合には扉部５６（５４）を閉止状態として、利用者の駅構内への入場（または出場）を禁止する扉制御信号を出力する。
【００２７】
コード券処理部８８は、利用者より提示された紙媒体に表示された表示オブジェクトにエンコードされた情報を、光学読取部４４を介して取得し、駅構内への入場（または出場）が可能であるか否かを判定する。表示オブジェクトにエンコードされた情報には、例えば紙媒体の識別情報、利用可能な区間情報などが含まれる。以下、表示オブジェクトに含まれる情報を、入場用情報と称する。
【００２８】
入場駅に備えられた自動改札機３０のコード券処理部８８は、入場用情報に含まれる区間情報を参照し、当該駅が区間内であるか否かを判定する。コード券処理部８８は、当該駅が区間内に含まれている場合に、扉制御信号を出力して扉部５６を開放状態とすると共に、区間内の当該駅以外の駅において出場を可能とする出場用情報をエンコードした情報を印刷した紙媒体を利用者に付与するように、印刷部６６と、発行部７０とに指示する。出場用情報には、例えば紙媒体の識別情報や、利用可能区間、出場可能な有効期限、利用開始日、入場駅、入場日時などの情報が含まれる。
【００２９】
一方、出場駅に備えられた自動改札機３０のコード券処理部８８は、紙媒体に印刷された出場用情報に基づいて、紙媒体を提示した利用者が出場可能か否かを判定する。コード券処理部８８は、出場可能と判定した場合に、扉制御信号を出力して扉部５６を開放状態とする。なお、出場用情報は、入場用情報と同様にエンコードされた情報であってもよいし、人が視認することによって認識可能な情報であってもよい。
【００３０】
通信部９４は、自動改札機３０により実行された処理過程や、処理結果などを駅務装置２０や、他の自動改札機、駅端末機２２等へ送信する。
【００３１】
図６は、自動改札機３０および管理サーバ１００により実行される処理の流れを示すフローチャートである。ここでは、入場駅において、利用者が光学読取部４４に、表示オブジェクトが印刷された紙媒体を提示した場合の処理について説明する。なお、紙媒体は、例えば、利用者の操作に応じて、駅構外などに設置された発行装置によって発行される。
【００３２】
まず、光学読取部４４が、利用者により提示された表示オブジェクトから入場用情報を読み取る（ステップＳ１００）。次に、コード券処理部８８は、光学読取部４４により読み取られた入場用情報を参照し、入場許可の条件を満たすか否かを判定する（ステップＳ１０２）。
【００３３】
コード券処理部８８は、入場用情報に含まれる区間情報を参照して、当該駅が区間外である場合には入場不許可と判定し、当該駅が区間内である場合には入場許可と判定する。入場許可の条件を満たさない場合、コード券処理部８８は、扉制御部９０に扉部５６を閉止させる（ステップＳ１０４）。入場許可の条件を満たす場合、コード券処理部８８は、入場用情報、入場日時および改札処理により入場許可の処理を実行したことを含む情報を、駅務装置２０を介して管理サーバ１００へ送信する（ステップＳ１０６）。
【００３４】
管理サーバ１００は、駅務装置２０から送信された情報を取得する（ステップＳ１５０）。次に、管理サーバ１００は、取得した情報に基づいて、出場に必要な出場用情報の基となる情報を作成する（ステップＳ１５２）。次に、管理サーバ１００は、作成した情報を自動改札機３０へ送信する（ステップＳ１５４）。
【００３５】
自動改札機３０は、駅務装置２０を介して管理サーバ１００から送信された情報を取得する（ステップＳ１０８）。次に、自動改札機３０のコード券処理部８８が、取得した出場用情報の基となる情報に基づいて、出場用情報が印刷された紙媒体を発行する（ステップＳ１１０）。これにより、本フローチャートの処理が終了する。このように、利用者は、出場用情報が印刷された紙媒体を入場時に取得し、出場時に自動改札機３０に提示する。これにより、出場駅に備えられた自動改札機３０において、出場処理が行われる。
【００３６】
なお、図６では自動改札機３０と管理サーバ１００が協働して処理を行うものとしたが、駅システム１０内で、入場処理を完結してもよい。この場合、入場用情報と出場用情報の対応関係を示す情報が、自動改札機３０または駅務装置２０に格納されており、自動改札機３０は、単体で、または駅務装置２０に照会を行うことで、図６の処理と同等の処理を行う。後述する他の実施形態においても同様である。
【００３７】
図７は、利用者Ｕが自動改札機３０を利用する場面を模式的に示す図である。自動改札機３０の出口付近には、例えば紙媒体回収箱９８が設置される。駅係員の監視のもと、入場用情報および出場用情報がエンコードされた紙媒体は、使用後に紙媒体回収箱９８に投棄されるように促される。
【００３８】
まず、図中、「入場時」の場合について説明する。利用者Ｕは、自動改札機３０を利用し、駅構外から駅構内へ入場するため、入場用情報がエンコードされた紙媒体Ｍ１を光学読取部４４へ提示する。コード券処理部８８により入場許可がなされると、利用者Ｕは、自動改札機３０を通過する際に、排出口３４から排出され、出場用情報が印刷された紙媒体Ｍ２を取得する。このとき、紙媒体Ｍ１は、利用者Ｕにより紙媒体回収箱９８に投棄される。これにより、紙媒体Ｍ１の再利用は困難となり、紙媒体Ｍ１の不正利用を抑制することができる。
【００３９】
次に、図中、「出場時」の場合について説明する。利用者Ｕは、自動改札機３０を利用し、駅構内から駅構外へ出場するため、出場用情報がエンコードされた紙媒体Ｍ２を光学読取部４４へ提示する。コード券処理部８８により出場許可がなされると、利用者Ｕは、自動改札機３０を通過することができる。このとき、紙媒体Ｍ２は、出場許可がされた利用者Ｕにより紙媒体回収箱９８に投棄される。これにより、紙媒体Ｍ２の再利用は困難となり、紙媒体Ｍ２の不正利用を抑制することができる。
【００４０】
以上説明した第１の実施形態によれば、自動改札機３０は、利用者より提示された紙媒体にエンコードされた表示オブジェクトに基づいて、入場処理を実行し、入場可能であると判定した場合には、利用者に対して出場に必要な出場用情報を印刷した紙媒体を発行する。この結果、利用者が駅構内から出場する場合、紙媒体の購入時とは異なる入場処理時に改めて付与される出場用情報によって出場処理が実行されるため、駅構外で購入された紙媒体を使い回すといった不正利用がなされるのを抑制することができる。また、利用済となった入場用情報または出場用情報が印刷された媒体を、紙媒体回収箱９８などによって回収することで、不正利用がなされるのを更に効果的に抑制することができる。
【００４１】
なお、本実施形態の自動改札機３０は、ＩＣ磁気併用機であるものとして説明したが、ＩＣ専用機として構成されてもよい。図８は、ＩＣ専用機として構成される自動改札機３０Ａの内部構成を簡易に示す図である。自動改札機３０Ａは、例えば排出口３４と、まとめ放出部６７と、印刷部６６と、発行部７０とを備える。この場合、裁断部７２により裁断されたロール紙７１は、印刷部６６で出場用情報が印刷され、排出口３４より排出される。
【００４２】
（第２の実施形態）
以下、第２の実施形態について説明する。ここでは、第１の実施形態との相違点を中心に説明し、第１の実施形態と共通する機能等についての説明は省略する。第１の実施形態では、自動改札機３０は、専ら利用者より提示された紙媒体に対する処理を行うものとしたが、第２の実施形態では、自動改札機３０は、利用者より提示された紙媒体に印刷された表示オブジェクト、または電子媒体により表示された表示オブジェクトに基づいて、改札処理を実行する。電子媒体には、例えば携帯電話機や、スマートフォン、ＰＤＡ（Personal  Digital  Assistant）などが含まれる。なお、第２の実施形態では、紙媒体と電子媒体を総称して「媒体」と称することがある。
【００４３】
本実施形態では、ライト４６は、例えば所定の間隔で点灯と消灯を繰り返す。また、光学読取部４４は、利用者より提示された媒体に印刷または表示された表示オブジェクトを、ライト４６の点灯時および消灯時に読み取るように試行する。コード券処理部８８は、ライト４６の点灯時に表示オブジェクトから情報が読み取られた場合、紙媒体が光学読取部４４に提示されたと判定し、ライト４６の消灯時に表示オブジェクトから情報が読み取られた場合、電子媒体が光学読取部４４に提示されたと判定する。表示オブジェクトを表示する電子媒体が光学読取部４４に提示された場合、電子媒体が内蔵するバックライトの発光により、光学読取部４４は、ライト４６の点灯時には受光量が大きすぎて表示オブジェクトから情報を読み取ることができないためである。
【００４４】
図９は、第２の実施形態に係る自動改札機３０および管理サーバ１００により実行される処理の流れを示すフローチャートである。ここでは、入場駅において、利用者が光学読取部４４に、表示オブジェクトが印刷された紙媒体または表示オブジェクトを表示する電子媒体を提示した場合の処理について説明する。
【００４５】
まず、光学読取部４４が利用者により提示された媒体から入場用情報を読み取り（ステップＳ２００）、コード券処理部８８が、ライト４６の点灯時に入場用情報が読み取られたか否かを判定する（ステップＳ２０２）。ライト４６の点灯時に入場用情報が読み取られた場合、コード券処理部８８は、紙媒体が光学読取部４４に提示されたと判定し（ステップＳ２０４）、判定結果を記憶する。ライト４６の消灯時に入場用情報が読み取られた場合、コード券処理部８８は、電子媒体が光学読取部４４に提示されたと判定し（ステップＳ２０６）、判定結果を記憶する。次に、コード券処理部８８は、光学読取部４４により読み取られた入場用情報を参照して、入場許可の条件を満たすか否かを判定する（ステップＳ２０８）。入場許可の条件を満たさない場合、コード券処理部８８は、扉部５６を閉止させる（ステップＳ２１０）。入場許可の条件を満たす場合、コード券処理部８８は、光学読取部４４により読み取られた入場用情報、提示された媒体の種類（紙媒体または電子媒体）、入場日時および入場許可の処理を実行したことを含む情報を、駅務装置２０を介して管理サーバ１００へ送信する（ステップＳ２１２）。
【００４６】
次に、管理サーバ１００は、駅務装置２０から送信された情報を取得し（ステップＳ２５０）、取得した情報に基づいて、出場に必要な出場用情報の基となる情報を作成する（ステップＳ２５２）。次に、管理サーバ１００は、自動改札機３０から送信された情報に基づいて、利用者が紙媒体で入場したか否かを判定する（ステップＳ２５３）。自動改札機３０から受信した情報に、紙媒体で入場したことを示す情報が含まれる場合、管理サーバ１００は、利用者は紙媒体に印刷されたバーコードを提示して入場したと判定し、出場用情報の基となる情報を自動改札機３０へ送信する（ステップＳ２５４）。自動改札機３０は、駅務装置２０を介して管理サーバ１００から送信された情報を取得し（ステップＳ２１４）し、自動改札機３０のコード券処理部８８が、取得した情報に基づいて、出場用情報を印刷した紙媒体を発行する（ステップＳ２１６）。
【００４７】
自動改札機３０から受信した情報に、紙媒体で入場したことを示す情報が含まれていない場合、管理サーバ１００は、利用者は電子媒体を提示して入場したと判定し、出場用情報を利用者の電子媒体へ送信する（ステップＳ２５６）。これにより、本フローチャートの処理が終了する。
【００４８】
出場用情報を管理サーバ１００から受信した電子媒体は、入場用情報をエンコードした表示オブジェクトに代えて、出場用情報に基づく画像を表示する。これによって、利用者は出場駅において電子媒体を自動改札機３０の光学読取部４４に提示することで、自動改札機３０を通過することができる。なお、出場用情報は、管理サーバ１００から駅務装置２０および自動改札機３０を経由して、ＩＣリーダライタ４２により電子媒体に書き込まれてもよい。また、駅システム１０内で入場処理を完結する場合、自動改札機３０が出場用情報を自ら作成して、ＩＣリーダライタ４２を用いて電子媒体に書き込む。
【００４９】
以上説明した第２の実施形態によれば、自動改札機３０は、利用者より提示された媒体の種類に応じた方法で、出場用情報を利用者に付与するため、利用者は、提示した媒体に対応した形態で出場用情報を取得することができる。この結果、第１の実施形態と同様の効果を奏すると共に、より利用者の利便性を高めることができる。
【００５０】
（第３の実施形態）
以下、第３の実施形態について説明する。ここでは、第１の実施形態との相違点を中心に説明し、第１の実施形態と共通する機能等についての説明は省略する。第３の実施形態は、第１の実施形態と入場処理の手法が異なる。
【００５１】
図１０は、第３の実施形態に係る自動改札機３０および管理サーバ１００により実行される処理の流れを示すフローチャートである。ここでは、入場駅において、利用者が光学読取部４４に、表示オブジェクトが印刷された紙媒体を提示した場合の処理について説明する。
【００５２】
まず、光学読取部４４が、利用者により提示された表示オブジェクトから表示オブジェクトに対応づけられた識別情報を読み取り（ステップＳ３００）、コード券処理部８８が、駅務装置２０を介して識別情報を管理サーバ１００へ送信する（ステップＳ３０２）。
【００５３】
次に、管理サーバ１００が、自動改札機３０から送信された識別情報を取得し（ステップＳ３４０）、取得した識別情報に対応づけられた情報をサーバ記憶部１２０から抽出する（ステップＳ３４２）。次に、管理サーバ１００は、抽出した情報を自動改札機３０へ送信する（ステップＳ３４４）。管理サーバ１００の制御部１１０が抽出した情報には、自動改札機３０の光学読取部４４により読み取られた識別情報に対応した入出場情報、利用可能な金額の情報、利用可能な区間情報などが含まれる。
【００５４】
自動改札機３０は、駅務装置２０を介して、管理サーバ１００から抽出された情報を取得する（ステップＳ３０４）。次に、自動改札機３０のコード券処理部８８が、入場用情報と、管理サーバ１００の制御部１１０により抽出された情報とに基づいて、利用者が入場許可の条件を満たすか否かを判定する（ステップＳ３０６）。コード券処理部８８は、管理サーバ１００から取得した情報において、表示オブジェクトに対応する識別番号が入場処理済として記憶されている場合には入場不許可と判定し、扉部５６を閉止させる（ステップＳ３０８）。コード券処理部８８は、表示オブジェクトに対応する識別番号が入場処理済として記憶されていない場合は、入場許可の条件を満たすと判定し、光学読取部４４により読み取られた識別情報、提示された媒体の種類（紙媒体または電子媒体）、入場日時および入場許可の処理を実行したことを含む情報を、駅務装置２０を介して管理サーバ１００へ送信する（ステップＳ３１０）。
【００５５】
次に、管理サーバ１００は、駅務装置２０から送信された情報を取得し（ステップＳ３５０）、取得した情報に基づいて、出場用情報の基となる情報を作成する（ステップＳ３５２）。次に、管理サーバ１００は、出場用情報の基となる情報を自動改札機３０へ送信する（ステップＳ３５４）。自動改札機３０は、駅務装置２０を介して管理サーバ１００から送信された情報を取得し（ステップＳ３１２）、自動改札機３０のコード券処理部８８が、取得した情報に基づいて、出場用情報を印刷した紙媒体を発行する（ステップＳ３１４）。これにより、本フローチャートの処理が終了する。
【００５６】
以上説明した第３の実施形態によれば、自動改札機３０は、光学読取部４４が読み取った媒体に対応づけられた識別情報と、管理サーバ１００の制御部１１０により抽出された情報とに基づいて、入場許可の条件を満たすか否かを判定するため、第１の実施形態と同様の効果を奏すると共に、精度良く媒体を提示した利用者の入場を許可できるか否かを判定することができる。
【００５７】
なお、本実施形態では、自動改札機３０のコード券処理部８８が、入場許可の条件を満たすか否かを判定する（ステップＳ３０６）ものとしたが、管理サーバ１００の制御部１１０が、自動改札機３０から取得した情報と、サーバ記憶部１２０に記憶された情報とに基づいて、自動改札機３０に媒体を提示した利用者の入場を許可するか否かを判定してもよい。この場合、自動改札機３０は、管理サーバ１００から入場許可または入場不許可の判定結果を取得し、取得した判定結果に基づいて改札処理を実行する。
【００５８】
（第４の実施形態）
以下、第４の実施形態について説明する。第４の実施形態は、第２の実施形態と第３の実施形態とを組み合わせた実施形態である。つまり、第４の実施形態では、自動改札機３０は、利用者により提示された紙媒体に印刷された表示オブジェクト、または電子媒体により表示された表示オブジェクトと、管理サーバ１００から取得した情報とに基づいて、改札処理を実行する。ここでは、第２の実施形態および第３の実施形態との相違点を中心に説明し第２の実施形態および第３の実施形態と共通する機能等についての説明は省略する。
【００５９】
図１１は、第４の実施形態に係る自動改札機３０および管理サーバ１００により実行される処理の流れを示すフローチャートである。まず、光学読取部４４が利用者により提示された媒体から識別情報を読み取り（ステップＳ４００）、コード券処理部８８が、ライト４６の点灯時に識別情報が読み取られたか否かを判定する（ステップＳ４０２）。ライト４６の点灯時に識別情報が読み取られた場合、コード券処理部８８は、紙媒体が光学読取部４４に提示されたと判定し（ステップＳ４０４）、判定結果を記憶する。ライト４６の消灯時に識別情報が読み取られた場合、コード券処理部８８は、電子媒体が光学読取部４４に提示されたと判定し（ステップＳ４０６）、判定結果を記憶する。
【００６０】
次に、コード券処理部８８が、識別情報、利用者より提示された媒体の種類（紙媒体または電子媒体）および入場日時を含む情報を、駅務装置２０を介して管理サーバ１００へ送信する（ステップＳ４０８）。次に、管理サーバ１００の制御部１１０が、自動改札機３０から送信された識別情報を取得し（ステップＳ４４０）、取得した情報に基づいて、識別情報に対応付けられた情報をサーバ記憶部１２０から抽出し（ステップＳ４４２）、抽出した情報を自動改札機３０へ送信する（ステップＳ４４４）。
【００６１】
次に、自動改札機３０のコード券処理部８８が、管理サーバ１００から送信された情報を取得し（ステップＳ４１０）、取得した情報と、識別情報とに基づいて、入場許可の条件を満たすか否かを判定する（ステップＳ４１２）。入場許可の条件を満たさない場合、コード券処理部８８は、扉部５６を閉止させる（ステップＳ４１４）。入場許可の条件を満たす場合、コード券処理部８８は、光学読取部４４により読み取られた識別情報、提示された媒体の種類（紙媒体または電子媒体）、入場日時および入場許可の処理を実行したことを含む情報を、駅務装置２０を介して管理サーバ１００へ送信する（ステップＳ４１６）。
【００６２】
次に、管理サーバ１００は、駅務装置２０から送信された情報を取得し（ステップＳ４５０）、取得した情報に基づいて、出場に必要な出場用情報の基となる情報を作成する（ステップＳ４５２）。次に、管理サーバ１００は、自動改札機３０から送信された情報に基づいて、利用者が紙媒体で入場したか否かを判定する（ステップＳ４５３）。自動改札機３０から受信した情報に、紙媒体で入場したことを示す情報が含まれる場合、管理サーバ１００は、利用者は紙媒体に印刷されたバーコードを提示して入場したと判定し、出場用情報の基となる情報を自動改札機３０へ送信する（ステップＳ４５４）。自動改札機３０は、駅務装置２０を介して管理サーバ１００から送信された情報を取得し（ステップＳ４１８）、自動改札機３０のコード券処理部８８が、取得した情報に基づいて、出場用情報を印刷した紙媒体を発行する（ステップＳ４２０）。
【００６３】
自動改札機３０から受信した情報に、紙媒体で入場したことを示す情報が含まれていない場合、管理サーバ１００は、利用者は電子媒体を提示して入場したと判定し、出場用情報を利用者の電子媒体へ送信する（ステップＳ４６５）。これにより、本フローチャートの処理が終了する。
【００６４】
以上説明した第４の実施形態によれば、自動改札機３０は、光学読取部４４が読み取った情報と、管理サーバ１００から送信された情報とに基づいて、改札処理を行うと共に、利用者より提示された媒体の種類に応じた方法で、出場用情報を利用者に付与するため、第２の実施形態および第３の実施形態の効果を奏することができる。
【００６５】
以上説明した少なくともひとつの実施形態によれば、利用者によって提示された媒体に表示された表示オブジュクトから入場用情報を読み取る読取部（４４）と、読取部により読み取られた入場用情報に基づいて、利用者が入場可能か否かを判定する判定部（８８、１００）と、判定部により利用者が入場可能であると判定された場合に、媒体を提示した利用者に対して出場に必要な出場用情報を付与する付与部（６６、７０、８８、１００）とを持つことにより、利用者の利便性を高めることができる。
【００６６】
本実施形態は、以下のように表現することができる。
受光素子を有し、利用者によって提示された媒体に表示された表示オブジュクトから発生られる光に対してデコード処理を行うことによって、前記表示オブジェクトが示す入場用情報を読み取る読取部と、
前記読取部により読み取られた入場用情報に含まれる区間内に、自装置が設置された駅が含まれるか否かを判定することで、前記利用者が入場可能か否かを判定する判定部と、
前記判定部により前記利用者が入場可能であると判定された場合に、前記媒体を提示した利用者に対して出場に必要な出場用情報が印刷された紙媒体を発行する付与部と、
を備える自動改札機。
【００６７】
また、本実施形態は、以下のように表現することができる。
受光素子を有し、利用者によって提示された電子媒体に表示された表示オブジュクトから発生られる光に対してデコード処理を行うことによって、前記表示オブジェクトが示す入場用情報を読み取る読取部、前記読取部により読み取られた入場用情報に含まれる区間内に、自装置が設置された駅が含まれるか否かを判定することで、前記利用者が入場可能か否かを判定する判定部、および管理サーバと通信する通信部を備える自動改札機と、
前記自動改札機と通信する通信部を備え、前記通信部を介して、前記自動改札機の判定部により前記利用者が入場可能であると判定された旨の情報が取得された場合に、前記電子媒体に対して出場の際に前記電子媒体が表示すべき画像の基となる出場用情報を送信する管理サーバと、
を備える自動改札機。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１…自動改札機システム、１０…駅システム、２２…駅端末機、３０…自動改札機、４０…情報読取部、４２…ＩＣリーダライタ、４４…光学読取部、４６…ライト、６６…印刷部、７０…発行部、８６…ＳＦ処理部、８８…コード券処理部、１００…管理サーバ
【図１】
2016130879.tif 000003
【図２】
2016130879.tif 000004
【図３】
2016130879.tif 000005
【図４】
2016130879.tif 000006
【図５】
2016130879.tif 000007
【図６】
2016130879.tif 000008
【図７】
2016130879.tif 000009
【図８】
2016130879.tif 000010
【図９】
2016130879.tif 000011
【図１０】
2016130879.tif 000012
【図１１】
2016130879.tif 000013